(57)【要約】【課題】  筐体に対する簡易な加工で、外径が大きい車輪を軸受け具に支持しても、筐体の支持高さを低くすることができるようにする。【解決手段】  筐体１０に固定してある軸受け具１１に、移動用の車輪１３を横軸芯Ｘ周りで回転自在に支持してある事務機器であって、筐体の下面を形成している底板２０に軸受け具を固定するとともに、その底板に開口２１を形成し、車輪を、その開口から底板上方側に入り込ませて、軸受け具に支持してある。【選択図】        図３
2006308653.tif 000002
【特許請求の範囲】
【請求項１】
筐体に固定してある軸受け具に、移動用の車輪を横軸芯周りで回転自在に支持してある事務機器であって、
前記筐体の下面を形成している底板に前記軸受け具を固定するとともに、その底板に開口を形成し、
前記車輪を、前記開口から底板上方側に入り込ませて、前記軸受け具に支持してある事務機器。
【請求項２】
筐体に固定してある軸受け具に、移動用の車輪を横軸芯周りで回転自在に支持してある事務機器であって、
前記筐体の側面を形成している側板に前記軸受け具を固定するとともに、前記筐体の下面を形成している底板に開口を形成し、
前記車輪を、前記開口から底板上方側に入り込ませて、前記軸受け具に支持してある事務機器。
【発明の詳細な説明】
【技術分野】
【０００１】
本発明は、複写機やプリンタなどの画像形成装置或いは移動式ラックなどの、筐体に固定してある軸受け具に、移動用の車輪を横軸芯周りで回転自在に支持してある事務機器に関する。
【背景技術】
【０００２】
上記事務機器では、従来、筐体の上下方向に沿うコーナー部の下端面に軸受け具を固定して、その軸受け具に車輪を回転自在に支持したり（例えば、特許文献１参照（以下、第１従来技術という））、筐体の下面を形成している底板に上向きに凹入する凹入面を設け、その凹入面に固定した軸受け具に車輪を回転自在に支持している（例えば、特許文献２参照（以下、第２従来技術という））。
【０００３】
【特許文献１】特開平９−３０４９８５号公報
【特許文献２】特開平６−１７５４１９号公報
【発明の開示】
【発明が解決しようとする課題】
【０００４】
上記第１従来技術は、筐体コーナー部の下端面に軸受け具を固定するので、筐体を特に加工することなく、軸受け具に車輪を支持できる利点があるが、装置を移動させ易い外径が大きい車輪を軸受け具に支持するほど、筐体の支持高さが高くなって、装置の設置容積が増大するとともに、操作性を損なうおそれがある。
また、上記第２従来技術は、筐体の下面に設けた凹入面に軸受け具を固定するので、外径が大きい車輪を軸受け具に支持しても、筐体の支持高さを低くし易い利点があるが、筐体の下面に凹入面を設けるための曲げ加工や絞り加工に手間を要する欠点がある。
本発明は上記実情に鑑みてなされたものであって、筐体に対する簡易な加工で、外径が大きい車輪を軸受け具に支持しても、筐体の支持高さを低くすることができるようにすることを目的とする。
【課題を解決するための手段】
【０００５】
本発明の第１特徴構成は、筐体に固定してある軸受け具に、移動用の車輪を横軸芯周りで回転自在に支持してある事務機器であって、前記筐体の下面を形成している底板に前記軸受け具を固定するとともに、その底板に開口を形成し、前記車輪を、前記開口から底板上方側に入り込ませて、前記軸受け具に支持してある点にある。
【０００６】
〔作用及び効果〕
筐体の下面を形成している底板に軸受け具を固定するので、筐体を特に加工することなく軸受け具を固定し易いとともに、その底板に開口を形成し、車輪を、その開口から底板上方側に入り込ませて、軸受け具に支持してあるので、底板に開口を形成するという簡易な加工で、外径が大きい車輪を軸受け具に支持しても、筐体の支持高さを低くすることができる。
【０００７】
本発明の第２特徴構成は、筐体に固定してある軸受け具に、移動用の車輪を横軸芯周りで回転自在に支持してある事務機器であって、前記筐体の側面を形成している側板に前記軸受け具を固定するとともに、前記筐体の下面を形成している底板に開口を形成し、前記車輪を、前記開口から底板上方側に入り込ませて、前記軸受け具に支持してある点にある。
【０００８】
〔作用及び効果〕
筐体の側面を形成している側板に軸受け具を固定するので、筐体を特に加工することなく軸受け具を固定し易いとともに、筐体の下面を形成している底板に開口を形成し、車輪を、その開口から底板上方側に入り込ませて、軸受け具に支持してあるので、底板に開口を形成するという簡易な加工で、外径が大きい車輪を軸受け具に支持しても、筐体の支持高さを低くすることができる。
【発明を実施するための最良の形態】
【０００９】
以下に本発明の実施の形態を図面に基づいて説明する。
図１は、事務機器の一例としての複写機やプリンタなどの画像形成装置に装備してある後処理部１を示し、原稿画像を用紙に転写する画像形成部の排紙口から送り出された画像形成済み用紙を搬入・搬出自在な用紙搬入出装置２と、後処理装置の一例としての、用紙搬入出装置２から搬出された画像形成済み用紙を綴じるステイプル処理装置３を備えた中間トレイ４と、底部支持ユニット７とを上下に設けてある。
【００１０】
前記用紙搬入出装置２は、画像形成部から送り出された画像形成済み用紙を後処理部１内に搬入したり、搬入した画像形成済み用紙をステイプル処理装置３や排紙トレイ（図外）などに搬出したりするための搬送ローラ５などを左右の側板６に支持してユニット化してある。
【００１１】
前記用紙搬入出装置２と底部支持ユニット７は、上下に間隔を隔てて複数の支柱８ａ，８ｂで一体に固定してあり、用紙搬入出装置２と底部支持ユニット７との間の空間に、中間トレイ４（ステイプル処理装置３）をガイドフレーム９に沿って機体横側方に向けて出退自在に組み付けてある。
【００１２】
前記底部支持ユニット７は、図２にも示すように、板金製の筐体１０の前後左右に軸受け具１１，１２を固定して、各軸受け具１１，１２に移動用の車輪１３，１４を横軸芯Ｘ周りで回転自在に支持してあり、画像形成済み用紙を二つ折りにする中折れ装置などを筐体１０の内側に必要に応じて装備できるように構成してある。
【００１３】
前記軸受け具１１，１２のうちの排紙トレイ側に近い左右の前部軸受け具１１は、図３にも示すように、下向きコの字形に形成してある車輪支持フレーム１５の下端側に軸受け部１６を設けるとともに、フレーム側取り付け用舌片１７を左右に設けて構成してある。
【００１４】
また、筐体１０の側面を形成している側板１８を外向きに切り起こして筐体側取り付け用舌片１９を形成するとともに、筐体１０の下面を形成している底板２０の側板近くに開口２１を形成してある。
【００１５】
そして、車輪支持フレーム１５を開口２１から底板上方側に入り込ませて、筐体側取り付け用舌片１９にビス止めするとともに、左右のフレーム側取り付け用舌片１７を底板２０の下面にビス止めして、前部軸受け具１１を底板２０と側板１８とに固定するとともに、大径の車輪１３を、開口２１から底板２０の上方側に入り込ませて、前部軸受け具１１に支持してある。
【００１６】
尚、軸受け具１１，１２のうちの排紙トレイ側から遠い左右の後部軸受け具１２は、下向きコの字形に形成してある車輪支持フレーム２２の上部を、底板２０を上向きに凹入するように絞り加工して形成してある凹面部２３に入り込ませて、縦軸心周りで回動自在に固定してある。
【００１７】
〔その他の実施形態〕
１．本発明による事務機器は、筐体の下面を形成している底板にのみ軸受け具を固定してあっても良い。
２．本発明による事務機器は、筐体の側面を形成している側板にのみ軸受け具を固定してあっても良い。
３．本発明による事務機器は、車輪を、開口から筐体内側の底板上方側に入り込ませて、軸受け具に支持してあっても良い。
４．本発明による事務機器は、軸受け具を縦軸周りで回動自在に固定してあっても良い。
５．本発明による事務機器は、移動式ラックやシュレッダーなどであっても良い。
【図面の簡単な説明】
【００１８】
【図１】画像形成装置（後処理部）の斜視図
【図２】（イ）底部支持ユニットを上面側から見た斜視図  （ロ）底部支持ユニットを下面側から見た斜視図
【図３】要部の縦断面図
【符号の説明】
【００１９】
１０  筐体
１１  軸受け具
１３  車輪
１８  側板
２０  底板
２１  開口
Ｘ    横軸芯
【図１】
2006308653.tif 000003
【図２】
2006308653.tif 000004
【図３】
2006308653.tif 000005